(57)【要約】【課題】本発明は、展示ブースの壁パネル、窓枠、又は見本パネルの組立、解体、或いは交換を、金槌又はドライバー等の工具を使用することなくワンタッチで行えるようにし、作業の容易化および迅速化を図るとともに、半永久的に、支柱のメンテナンスや釘等の補充を不要とする、壁パネル等を取り付ける支柱を提供することを課題とするものである。【解決手段】上記課題を解決するため、本発明は、支柱本体と、支柱本体に固定する下支持具と、支柱本体に昇降可能に取り付ける上支持具、及び／又は中間支持具により、壁パネル、窓枠、又は見本パネルを取り付けるようにしたものである。【選択図】　　図３
2004052316.tif 000002
【特許請求の範囲】
【請求項１】
支柱本体と、支柱本体に固定される下支持具と、支柱本体に昇降可能に設けられる上支持具、及び／又は中間支持具からなることを特徴とするパネル取付用の支柱。
【請求項２】
短管に金属プレートを介して支持プレートを固定した上支持具および中間支持具であることを特徴とする、請求項１記載のパネル取付用の支柱
【請求項３】
短管に支持プレートを固定した上支持具および中間支持具であることを特徴とする、請求項１記載のパネル取付用の支柱
【請求項４】
角形鋼管に、所定の間隔で開口部を設けた溝形鋼を溶接した支柱本体と、該開口部に位置する溝形鋼の空洞部へ短管を嵌合した上支持具又は中間支持具から成ることを特徴とする請求項２又は請求項３記載のパネル取付用の支柱。
【請求項５】
断面ハット形の保持具を所定の間隔で角形鋼管に取り付けた支柱本体と、上下の保持具に短管を嵌合した上支持具又は中間支持具から成ることを特徴とする請求項２又は請求項３記載のパネル取付用の支柱。
【請求項６】
所定の間隔で立設した支柱本体下部に下支持具を固定し、その上方へ、中間支持具を所定の間隔で複数個設け、該支持具間に、壁パネルを取り付けることを特徴とするパネルの取付装置。
【請求項７】
所定の間隔で立設した支柱本体下部に下支持具を固定し、その上方へ、中間支持具を所定の間隔で複数個設け、該支持具間に、壁パネルと窓枠を取り付けることを特徴とするパネルの取付装置。
【請求項８】
所定の間隔で立設した支柱本体に、固定する下支持具と、昇降する上支持具を、所定の間隔で交互に設け、該支持具間に、見本パネルを取り付けることを特徴とするパネルの取付装置。
【発明の詳細な説明】
【０００１】
【発明が属する技術分野】
本発明は、イベント会場内における各種展示ブースの壁パネルの取り付け、或いは壁の一部に開口部を設ける際に使用する窓枠の取り付け、更に、ショールーム等における展示用見本パネル等の取り付けに使用する、パネル取付用の支柱に関するものである。
【０００２】
【従来の技術】
従来、イベント会場における展示ブースは、イベント期間中だけ設置され、イベント終了後は直ちに解体されて他のイベントに再利用されるので、展示ブースを形成する壁は、頻繁に組立と解体が繰り返される。
また、ショールームの展示見本は新製品が発表される毎に交換されているが、何れの場合も、展示用ブースの壁パネルや窓枠、或いは展示用見本パネルは、木パネル（又は鉄パネル）に隅だしを行い、金槌（又はドライバー）、釘（又はタップネジ）等でパネルを取り付け、張り替える時も、同様な道具を用いて繰り返し作業が行われていた。
【０００３】
【発明が解決しようとする課題】
しかし、このような道具を用いて行う施工は、壁パネル、窓枠、又は見本パネルを取り付ける固定金具を、１つ１つ木パネル等に釘止め又はネジ止めしているので、壁パネル等の組立、解体、或いは交換に、手間や時間がかかると共に、組立、解体、或いは交換を繰り返すことによりネジが破損したり、木パネル等に形成したネジ孔が摩耗し、固定金具を木パネル等に確実に固定することが困難になっていた。
【０００４】
このような場合、破損したネジに変えて新たなネジを補充したり、木パネル等のネジ孔が摩耗した場合には、木パネル等に新たなネジ孔を形成する等、時間を多く要していた。更に、木パネル等への壁パネル等の取り付けは、木パネル等を横に寝かせての２人作業となり、又、釘等を用いるために素人では怪我の危険性があった。
【０００５】
本発明は、上記したこのような問題点に鑑みてなされたもので、壁パネル、窓枠、又は見本パネルの組立、解体、或いは交換を、金槌又はドライバー等の工具を使用することなくワンタッチで行えるようにし、作業の容易化および迅速化を図るとともに、半永久的に、壁パネル、窓枠、又は見本パネルを取り付ける支柱のメンテナンスや釘等の補充を不要とする、展示ブースの壁パネル等を取り付ける支柱を提供するものである。
【０００６】
【課題を解決するための手段】
上記課題を解決するため、本発明は、展示ブースの壁パネル、窓枠、又は見本パネルを、該パネルを支持するフレームに対し、釘、ビス、ネジ等を使用しないで取り付けるようにしたもので、具体的な構成は以下に示すとおりである。
【０００７】
具体的な構成１は、壁パネル、窓枠、又は見本パネル等を取り付けるパネル取付用の支柱であって、支柱本体と、支柱本体に固定される下支持具と、支柱本体に昇降可能に設けられる上支持具、及び／又は中間支持具からなることを特徴とするパネル取付用の支柱である。
【０００８】
具体的な構成２は、短管に金属プレートを介して支持プレートを固定した支持具を、支柱本体に昇降可能に設けた上支持具および中間支持具であることを特徴とするパネル取付用の支柱である。
【０００９】
具体的な構成３は、短管に支持プレートを固定した支持具を、支柱本体に昇降可能に設けてなる上支持具および中間支持具であることを特徴とするパネル取付用の支柱である。
【００１０】
具体的な構成４は、角形鋼管に、所定の間隔で開口部を設けた溝形鋼を溶接した支柱本体と、該開口部に位置する溝形鋼の空洞部へ短管を嵌合した上支持具又は中間支持具から成ることを特徴とするパネル取付用の支柱である。
【００１１】
具体的な構成５は、断面ハット形の保持具を所定の間隔で角形鋼管に取り付けた支柱本体と、上下の保持具に短管を嵌合した上支持具又は中間支持具から成ることを特徴とするパネル取付用の支柱である。
【００１２】
具体的な構成６は、所定の間隔で立設した支柱本体下部に下支持具を固定し、その上方へ、中間支持具を所定の間隔（壁パネル、窓枠幅）で複数個設け、該支持具間に、壁パネル等を取り付けることを特徴とするパネルの取付装置である。
【００１３】
具体的な構成７は、所定の間隔で立設した支柱本体に、固定する下支持具と、昇降する上支持具を、所定の間隔（見本パネル幅）で交互に設け、該支持具間に、見本パネルを取り付けることを特徴とするパネルの取付装置である。
【００１４】
【発明の実施の形態】
以下、図面に基づいて本発明の実施の形態につき、詳細に説明する。
【００１５】
実施形態１
図１は、展示ブースの壁パネルを取り付けるのに好適な例を示すもので、図１ａは、支柱Ｓ１を所定の間隔をおいて立設した正面図、図１ｂは、その側面図である。
支柱Ｓ１は、展示ブースを構成する床に点線で示す壁パネルＰ１の幅間隔で立設され、壁パネルＰ１の上下辺の両端部を支持する下支持具Ａ、中間支持具Ｃ、及び上支持具Ｂ（図示されていない）が、支柱Ｓ１の正面側に所定間隔で設けられる。
【００１６】
図２は、展示用見本パネルＰ２を取り付けるのに好適な例を示すもので、図２ａは、支柱Ｓ２により形成された枠体の正面図、図２ｂはその側面図である。
支柱Ｓ２は、キャスター付台枠Ｆに対して少し傾斜して立設され、２本の支柱Ｓ２間に、点線で示す展示用見本パネルＰ２の上下辺の各端部が支持される。
展示用見本パネルＰ２を支持する各支柱Ｓ２には、上方の見本パネルＰ２の下辺を支持する下支持具Ａと、下方の見本パネルの上辺を支持する上支持具Ｂが、所定の間隔で取り付けられており、展示用見本パネルＰ２は、この支持具Ａ，Ｂにより、見本パネル間に間隔を開け、それぞれ独立して着脱できるようにして取り付けられる。
該台枠には、キャスターが取り付けられているので、支柱間に展示用見本パネルを取り付けた状態で、自由に移動することが可能となる。
【００１７】
図３〜図６は、展示ブースの壁パネルＰ１を取り付ける支柱Ｓ１における、中間支持具Ｃの取り付け部分の一実施例を示すもので、
図３は、その分解斜視図、図４は、その正面図、図５は、その水平断面図、図６は、縦断面図である。
【００１８】
図３に示すように、中間支持具Ｃは、扁平な短管１と、厚みのある金属プレート５、および支持プレート３をビス、ネジ等を用いて一体にしたもので、支柱Ｓ１は、角パイプから構成される支柱本体６に溝形鋼７を溶接した断面凸形状から成り、該溝形鋼７の前面に、所定の間隔で開口部８が設けられている。
支持プレート３は、鋼板を打ち抜き、折り曲げ加工したもので、下側に位置するパネルの上辺に係合する下係合片３１と、上側に位置するパネルの下辺に係合する上係合片３２を一体に成形したものである。
【００１９】
図４及び図６に示すように、溝形鋼７の前面に設けた開口部８と金属プレート５は、金属プレート５が開口部８の下辺８ａで支持されたとき、開口部８の上辺８ｂと金属プレート３の上辺間に、高さｈの間隔が開くように形成されている。
中間部支持具ｃには、重量のある金属プレート５が短管１に一体に取り付けてあるので、平常時は、支持プレート３を固定した金属プレート５の下辺が、開口部の下辺８ａに当接されており、中間支持具Ｃを上方に移動させることにより、金属プレート５の上辺が、開口部の上辺８ｂに当接される。
したがって、中間支持具Ｃは高さｈの範囲で昇降可能であり、その高さｈは、支持プレート３の下係合片３１の高さより大きく設定されている。
【００２０】
このような中間支持具Ｃを有する支柱Ｓ１に対する壁パネルＰ１の取り付けは、次のようにして行われる。
まず、支柱Ｓ１の下部に固定した下支持具Ａの直上の中間支持具Ｃ１の下係合片３１に、壁パネルＰ１をやや斜めにして、その上辺に形成してある溝又は段部（図１１参照）を係合する。
【００２１】
その状態で中間支持具Ｃ１を、開口部における間隙部、高さｈだけ持ち上げ、壁パネルＰ１の下部を垂直にして、その下辺の溝と下支持具Ａの係合片２２とを位置合せした後、壁パネルＰ１を下方へ移動させて、下辺の溝に係合片２２を嵌め込む（図１２参照）。
壁パネルＰ１の下方への移動に伴い、重さのある金属プレート５を取り付けた中間支持具Ｃ１も下方に下がり、壁パネルＰ１は、下辺が下支持具Ａに、上辺が中間支持具Ｃ１にそれぞれ支持されて、支柱Ｓ１に取り付けられる。
【００２２】
次で、上記と同様の手順により、その上段の壁パネルＰ１は、上記中間支持具Ｃ１と、その１つ上の中間支持具Ｃ２によってそれぞれ支持され、支柱Ｓ１に取付けられる。
この手順を繰り返すことにより、壁パネルＰ１は下方から上方に向かって順次支柱Ｓ１に取り付けられる。そして、最上段の壁パネルＰ１は、上記と同様の手順により、上支持具Ｂと最上位の中間支持具Ｃに支持されて、支柱Ｓ１に取り付けられる。
【００２３】
図７は、下支持具Ａにおける支持プレート２の正面図と垂直断面図を示し、
図８は、上支持具Ｂにおける支持プレート４の正面図と垂直断面図を示すもので、何れも中間支持具Ｃと同様金属製板材からなり、上支持具Ｂの支持プレート４には、壁パネルＰ１の上辺に係合する下係合片４１を、又、下支持具Ａの支持プレート２には、壁パネルＰ１の下辺に係合する上係合片２２を一体に成形したものである。
【００２４】
図１に示す、展示ブースの壁パネルＰ１を支持する支柱Ｓ１の最上部の支持具として上支持具Ｂを使用したが、この支持具Ｂに代えて、中間支持具Ｃを最上部の支持具とすることもできる。
この場合、その上係合片３１を利用して、壁上縁の笠木などを係止させることができる。
【００２５】
各支持具Ａ〜Ｃにおける各支持プレート２〜４や各短管１等に鋼製のものを使用したが、他の素材も使用できる。
各支持プレート２〜４を、硬質合成樹脂製射出成形品や、硬質合成樹脂製、或いはアルミニウム製押出し成形品とすることも好ましい。これらの成型品によれば、支持プレート２〜４に孔部が生じることがない上、上係合片２２，３２や下係合片３１，４１を支持プレート２〜４の全幅にわたって設けることができるので、パネルをより安定的に支持することができる。
【００２６】
また、上支持具Ｂ，中間支持具Ｃにおける各短管１に、硬質合成樹脂成形品を使用すれば、短管１を内嵌する溝形鋼７の錆の影響を受けることが少なくなり、各支持具Ｂ、Ｃの上下動を長期間にわたって滑らかに行うことができる。
なお、鋼製の短管１や支持プレート２〜４が、支柱本体６および溝形鋼７と摺設する面に、易滑性の合成樹脂被覆を施してもよい。
【００２７】
実施形態２
図９は、他の実施例である上支持具Ｂ、中間支持具Ｃの概略を示す正面図である。
この実施例においては、上記短管１に代えて、四角錐部材（又は円錐形部材）１５が使用され、上記実施例と同様、四角錐部材１５の前面に金属プレート（図示せず）が固定され、該金属プレートに支持プレート３、４が取り付けられる。
【００２８】
この四角錐部材等１５は、支柱本体６と溝形鋼７から形成された空間部で、上下方向にスライド可能に取り付けられ、支持プレート３、４を下げることにより、支持プレートを支持する四角錐部材等１５が下方にスライドし、四角錐部材等１５の下部両側辺が、該溝形鋼７の内側面に当接することにより、支持プレート３、４がその位置で固定される。
【００２９】
図１０〜１２は、各支持具Ａ〜Ｃにおける各支持プレート２〜４と壁パネルＰ１、或いは展示用パネルＰ２との係合状態を示す縦断面図である。
図１０（ａ）は、上辺に係合溝を有する壁パネルＰ１と、上支持具Ｂの支持プレート４との係合状態を示している。
また、図１０（ｂ）は、展示用見本パネルＰ２の上辺と上支持具Ｂの支持プレート４との係合状態を示すもので、該パネルの上辺は、係合片４１内に抱き込まれている。
【００３０】
図１１は、中間支持具Ｂと２種類の壁パネルＰ１との係合状態を示すもので、（ａ）に示す壁パネルＰ１は、上下辺に係合溝を設けたものであり、（ｂ）に示す壁パネルＰ１は、上辺を、下係合片３２内に挿入可能な突辺を設けて段部に形成し、下辺を、その段部と係合する段部及び上係合片３１に係合する係合溝を有するものに形成したものである。
図１２（ａ）（ｂ）は、壁パネルＰ１や展示用見本パネルＰ２と下支持具Ｃとの係合状態を示すもので、各係合状態は上支持具Ａと同様である。
【００３１】
実施形態３
図１３は、支柱Ｓ１と中間支持具Ｃを示す斜視図で、
中間支持具Ｃは、厚みのある短管１に、パネルＰ１を支持する支持プレート３を、直接ビス、ネジ等により一体化したもので、支柱Ｓ１には、角パイプから構成される支柱本体６に一対の断面ハット形の保持具６ａ、６ｂを上下に間隔を空けてネジ等で取付けてある。
【００３２】
支持プレート３は、鋼板を打ち抜き・折り曲げ加工したもので、下側に位置するパネルの上辺に係合する下係合片３１と、上側に位置するパネルの下辺に係合する上係合片３２を一体に成形したものである。
図１４に示すように、上保持具６ａと下保持具６ｂとの間隔は、支持プレート３の高さよりｈだけ大きく設定してあり、常時は支持プレート３の下辺が下保持具６ｂの上辺に当接するとともに、中間支持具Ｃを上方に移動させるとその支持プレート３の上辺が上保持具６ａの下辺に当接する。
【００３３】
したがって、中間支持具Ｃは高さｈの範囲で上下摺動可能であり、この高さｈの範囲は、支持プレート３の下係合片３１の高さより大きく設定してある。
このような中間支持具Ｃを有する支柱Ｓ１に対する壁パネルＰ１の取付けも、実施形態１で説明した方法で同じようにして行われる。
この実施形態で示す中間支持具Ｃは、厚みのある短管を使用しているので、実施形態１で示すように、重量のある金属プレートを設けていないが、下方へのスライドをよりスムーズにするため、短管１と支持プレート３との間に金属プレートを設けてもよい。
実施形態１〜３では、壁パネルの取り付けについて説明したが、壁面に開口部を設ける場合、その箇所の壁パネルに代えて、窓枠（窓枠は、壁パネルの適宜倍数の大きさからなり、例えば、壁パネル２枚分の大きさの窓枠・・図示されてはいない）が支柱に取り付けられるが、その取り付け作業も壁パネルと同じようにして行われる。
【００３４】
実施形態４
次に、展示用パネルＰ２を支柱Ｓ２に取り付ける実施例について説明する。
展示パネルＰ２の取り付けに用いる支持具も、上記した壁パネルＰ１の取り付けに用いた支持具が使用される。
キャスター付台枠Ｆに対し傾斜して立設された支柱Ｓ２に、展示パネルＰ２を取り付ける下支持具Ａと上支持具Ｂが取り付けられる。
【００３５】
下支持具Ａは、支柱Ｓ２にビス等で固定されており、該下支持具Ａに取り付けた支持金具２の上係合片２２で、展示用パネルＰ２の下辺を支持するように取り付けられている。
又上支持具Ｂは、中間支持具Ｃと同じように、支柱Ｓ２に対して、上下にスライドができるように取り付けられてあり、上支持具Ｂに取り付けた支持金具４の下係合片４１に、展示パネルＰ２の上辺に設けた嵌合溝を嵌め込んだ後、下方へスライドすることにより、展示パネルＰ２の下辺に設けた嵌合溝が、下支持具Ａに取り付けた支持金具の上係合片２２に嵌合し、展示パネルＰ２は、支柱Ｓ２に固定される。
【００３６】
支柱Ｓ２に設けた下方の展示パネルＰ２を支持する下支持具Ａと、上方の展示パネルＰ２を支持する上支持具Ｂは、上下の展示パネルＰ２間に、所定の間隔が保持できるようにして取り付けられる。この展示パネルＰ２同士の間隔は、展示パネルＰ２の下辺を支持する上係合片２２の高さより少し大きくしておくことが必要である。
【００３７】
これによって、どの位置における展示パネルＰ２も、その展示パネルＰ２を上方へ少しスライドすることにより、簡単に取り外すことができる。
以上、図面に示す実施例に基づいて説明したが、支持具を取り付ける支柱本体は、取り付ける壁パネル又は見本パネル幅の間隔で設けた支持具を、所定の範囲で昇降可能に支持できる構造からなるものであればよい。
又、支持具の短管を嵌合する支柱本体の溝形鋼又は保持具に、内側に僅かに突出する突起部を設けることにより、短管の昇降を、よりスムーズに行うことができる。
【００３８】
【発明の効果】
本発明は、壁パネル、窓枠、又は見本パネルの組立、解体、及び交換作業を、金槌やドライバー等の工具を使用することなく、該パネルを取り付ける支持具を上方へスライドさせることにより、ワンタッチで行うことができるので、作業の容易化、迅速化が図れるとともに、支柱のメンテナンスがほとんど不要となり、長期間にわたって繰り返し使用ができるものである。
また、支柱本体への支持具は、取り付ける壁パネル等（窓枠は、壁パネルと同じ幅とする）や見本パネルの幅間隔に合わせて設けられるので、支柱へパネルを簡単に取り付けることができる。
更に、展示用見本パネルを取り付ける支柱を支持する台枠に、キャスターが設けられているので、支柱間に見本パネルを取り付けた状態で、自由に移動することが可能となる。
【図面の簡単な説明】
【図１】（ａ）本発明の支柱を使用して展示ブースの壁パネルを取り付けた正面図である。
（ｂ）同側面図である。
【図２】（ａ）本発明の支柱を使用して展示用見本パネルを取り付けた正面図である。
（ｂ）同側面図である。
【図３】支柱と支持具の一実施例を示す斜視図である。
【図４】支持具を取り付けた支柱の正面図である。
【図５】支持具を取り付けた支柱の水平断面図である。
【図６】支持具を取り付けた支柱の垂直断面図である。
【図７】（ａ）下支持具として用いる支持プレートの正面図である。
（ｂ）同垂直断面図である。
【図８】（ａ）上支持具として用いる支持プレートの正面図である。
（ｂ）同垂直断面図である。
【図９】支柱と支持具の他の実施例を示す正面図である。
【図１０】（ａ）上支持具の支持プレートと壁パネルとの係合状態を示す垂直断面図である。
（ｂ）上支持具の支持プレートと展示パネルとの係合状態を示す垂直断面図である。
【図１１】（ａ）中間支持具の支持プレートと壁パネルとの係合状態を示す垂直断面図である。
（ｂ）中間支持具の支持プレートと壁パネルとの係合状態を示す垂直断面図である。
【図１２】（ａ）下支持具の支持プレートと、壁パネル又は展示パネルとの係合状態を示す垂直断面図である。
（ｂ）下支持具の支持プレートと、壁パネル又は展示パネルとの係合状態を示す垂直断面図である。
【図１３】支柱と支持具の他の実施例を示す斜視図である。
【図１４】同実施例の正面図である。
【図１５】同実施例の水平断面図である。
【符号の説明】
Ｓ１　支柱
Ｓ２　支柱
Ａ　　下支持具
Ｂ　　上支持具
Ｃ　　中間支持具
Ｆ　　台枠
Ｐ１　壁パネル
Ｐ２　見本パネル
１　　短管
１５　四角錐部材
２　　下支持具Ａの支持プレート
３　　中間支持具Ｃの支持プレート
４　　上支持具Ｂの支持プレート
２２　上係合片
３２　上係合片
３１　下係合片
４１　下係合片
５　　金属プレート
６　　支柱本体
６ａ　保持具
６ｂ　保持具
７　　溝形鋼
８　　開口部
【図１】
2004052316.tif 000003
【図２】
2004052316.tif 000004
【図３】
2004052316.tif 000005
【図４】
2004052316.tif 000006
【図５】
2004052316.tif 000007
【図６】
2004052316.tif 000008
【図７】
2004052316.tif 000009
【図８】
2004052316.tif 000010
【図９】
2004052316.tif 000011
【図１０】
2004052316.tif 000012
【図１１】
2004052316.tif 000013
【図１２】
2004052316.tif 000014
【図１３】
2004052316.tif 000015
【図１４】
2004052316.tif 000016
【図１５】
2004052316.tif 000017